(57)【特許請求の範囲】
【請求項１】
不透光性の本体の下面側に形成される開口部の周縁部で囲まれた領域にＬＥＤ素子が放射する光を所定の配光にて出射する発光部を備え、前記発光部の出射光が道路方向に配光される照明器具において、
前記発光部から道路方向に配光される出射光のうち、グレア抑制として、前記発光部の鉛直方向に対して所定角度以上の出射光が前記周縁部で遮られる位置に、前記発光部が前記本体に配置され、
前記本体は、上壁と、前記上壁から下降する周囲壁とを有し、
前記開口部は、前記周囲壁に囲まれた下側に開口するものであり、
前記発光部は、ＬＥＤ基板と、前記ＬＥＤ基板の下側面に配置されるＬＥＤ素子と、前記ＬＥＤ素子を覆うように前記ＬＥＤ基板に組み合わされ前記ＬＥＤ素子が放射する光を所定の配光にて出射する配光ユニットとを備え、
前記配光ユニットは、前記ＬＥＤ素子ごとに所定配光の出射光を形成する配光特性部を備え、
前記発光部が前記領域に配置された状態で、前記配光特性部と前記開口部の周縁部下端の関係が、前記所定角度以上の出射光が遮られる関係であり、
更に、前記本体は、前記上壁から前記ＬＥＤ基板に当接する前後方向に長い熱伝導リブを有し、
前記熱伝導リブの前端及び後端は、前記本体と離間され、
前記本体の前記上壁、前記周囲壁、前記ＬＥＤ基板及び前記熱伝導リブにより、前記本体の後部から斜め上前方へ延びる空気通路が形成される、
ことを特徴とする照明器具。
【請求項２】
前記本体は、熱良導材で構成され、
前記発光部は、前記本体に取り付けられるＬＥＤ基板と、前記ＬＥＤ基板の下側面に前後方向の直線状に配置される複数のＬＥＤ素子を備え、
前記ＬＥＤ基板が取り付けられた状態で、前記所定角度以上の出射光が遮られる関係である、
ことを特徴とする請求項１に記載の照明器具。
【請求項３】
前記本体には、前記開口部の後部に対応して前記発光部の点灯を制御する点灯制御部が配置され、前記点灯制御部の前側に前記発光部が配置される、
ことを特徴とする請求項１又は２に記載の照明器具。
【発明の詳細な説明】
【技術分野】
【０００１】
本発明は、ＬＥＤ（発光ダイオード）を光源とする照明器具に関し、特に、ＬＥＤの発光に伴うグレア抑制構成並びに放熱構造である照明器具に関する。
【背景技術】
【０００２】
生活道路等に設置される照明器具の一つである防犯灯は、道路面を照射するために、道路の端に道路方向に所定間隔で設置された支柱に照明器具の後部に設けた取り付け部を取り付け、その取り付け状態において、前後方向に長い照明器具が道路幅方向に向かう前上がり状態となり、道路方向に長い配光を得るものがある（特許文献１）。
【０００３】
特許文献１の照明器具は、金属製の略矩形の薄い板状の基板ベースの下面にＬＥＤ基板が取り付けられ、ＬＥＤ基板には前後方向に延びる２列配置にＬＥＤが取り付けられ、これらＬＥＤごとのレンズ部を形成した透光性カバーが、ＬＥＤ基板の下側面を覆う。
この照明器具は、ＬＥＤが発する光によって歩行者が眩しさ（グレア）を感じることを抑制するために、各列のＬＥＤの外側方を覆うグレア抑制部材を取り付けている。
【０００４】
また、本発明の技術分野は、ＬＥＤ（発光ダイオード）を光源とする照明器具において、特に、ＬＥＤの発光に伴い発生する熱を効果的に放熱する構成を有する照明器具である。
その背景技術として、生活道路等に設置される照明器具の一つである防犯灯は、道路面を照射するために、道路の端に道路方向に所定間隔で設置された支柱等に、照明器具の後部に設けた取り付け部を取り付け、その取り付け状態において、前後方向に長い照明器具が道路幅方向に向かう状態となり、道路方向に長い配光を得るものがある（特許文献２）。
【０００５】
特許文献２の照明器具は、器具内の光源室には、ＬＥＤ基板に取り付けた光源となるＬＥＤ（発光ダイオード）と、レンズ体と、反射板が配置され、光源室内後部には、反射板の高さの範囲内にＬＥＤの電源を収容している。
【先行技術文献】
【特許文献】
【０００６】
【特許文献１】特開２０１４ー１１６１４３号公報
【特許文献２】特開２０１４ー１７５０７４号公報
【発明の概要】
【発明が解決しようとする課題】
【０００７】
特許文献１では、歩行者が眩しさ（グレア）を感じることを抑制するために、各列のＬＥＤの外側方を覆うグレア抑制部材が必要である。
【０００８】
本発明は、眩しさ（グレア）を抑制するために、特許文献１のようにグレア抑制部材を設けることなく、ＬＥＤ基板及びレンズ形態の配光部の照明器具本体へ取り付け状態を特定の状態とすることにより、歩行者が眩しさ（グレア）を感じることを抑制する構成を提供するものである。
【０００９】
また、特許文献２では、電源の発する熱は、放熱シートを介して器具本体に伝達され放熱される。一方、ＬＥＤの発光に伴い発生する熱の放熱のために、ＬＥＤ基板の裏側である上面に当接する伝熱板を配置しており、ＬＥＤの発光に伴い発生する熱が、この伝熱板を介して金属製の器具本体に伝達され、この器具本体から放熱される。
【００１０】
特許文献２では、このようにＬＥＤの発光に伴い発生する熱の放熱のために、ＬＥＤ基板の裏側に伝熱板を配置する。また、電源の発する熱の放熱のために、放熱シートを配置する。
【００１１】
特許文献２では、器具本体が、ベースケース体（灯具本体）と、下カバー体（下部パネル体）と、蓋体の３部品の組み合わせで構成されている。
【００１２】
本発明は、この点に鑑み、このような伝熱板を設けることなく、ＬＥＤの発光に伴って照明器具本体内に発生する熱の放熱効果に優れた構成とする。
【００１３】
また、本発明は、電源の発する熱の放熱のために、放熱シートを設けなくても電源の発する熱の放熱が良好に行える構成とする。
【００１４】
また、本発明は、器具本体が、特許文献２のような３部品構成ではなく１部品によって構成し、ＬＥＤ基板と電源の支持が安定し、且つ放熱効果が良好に行われる照明器具を提供するものである。
【課題を解決するための手段】
【００１５】
第１の本発明の照明器具は、不透光性の本体２の下面側の周縁部で囲まれた領域にＬＥＤ素子７が放射する光を所定の配光にて出射する発光部６を備え、前記発光部６の出射光が道路方向に配光される照明器具において、
前記発光部６から前記道路方向に配光される出射光のうち、グレア抑制として、前記発光部６の鉛直方向に対して所定角度以上の出射光が前記開口部２Ａの周縁で遮られる位置に、前記発光部６が前記本体２に配置された、
ことを特徴とする。
【００１６】
第２の本発明の照明器具は、上記第１において、
前記発光部６は、ＬＥＤ基板５の下側面にＬＥＤ素子７が配置され、前記ＬＥＤ素子７を覆うように前記ＬＥＤ基板５に組み合わされ前記ＬＥＤ素子７が放射する光を所定の配光にて出射する配光ユニット８を備え、
前記配光ユニット８は、前記ＬＥＤ素子７ごとに所定配光の出射光を形成する配光特性部８３Ａを備え、
前記発光部６が前記領域に配置された状態で、前記配光特性部８３Ａと前記開口部２Ａの周縁下端の関係が、前記所定角度以上の出射光が遮られる関係である、
ことを特徴とする。
【００１７】
第３の本発明の照明器具は、上記第１または第２において、
前記本体２は、上壁２Ｔと前記上壁２Ｔから下降する周囲壁２Ｓを有し、前記周囲壁２Ｓで囲まれた下側に開口する開口部２Ａを有する熱良導材で構成され、
前記発光部６は、前記本体２に取り付けられるＬＥＤ基板５と、前記ＬＥＤ基板５の下側面に前後方向の直線状に配置される複数のＬＥＤ素子７を備え、
前記ＬＥＤ基板５が取り付けられた状態で、前記所定角度以上の出射光が遮られる関係である、
ことを特徴とする。
【００１８】
第４の本発明の照明器具は、上記第３において、
前記本体２には、前記開口部２Ａの後部に対応して前記発光部６の点灯制御部が配置され、前記点灯制御部の前側に前記開口部２Ａに対応して前記発光部６が配置された、
ことを特徴とする。
【００１９】
第５の本発明の照明器具は、上記第４において、
前記本体２は、上壁２Ｔと前記上壁２Ｔから前記開口部２Ａの周縁に至る周囲壁２Ｓで囲まれ後部から前部へ向けて長い形態の内部空間４を有し、
前記内部空間４には、後部に前記点灯制御部が配置され、前部に前記発光部６が配置された、
ことを特徴とする。
【００２０】
第６の本発明の照明器具は、上記第５において、
前記本体２は、前記上壁２Ｔから前記ＬＥＤ素子７に対応して前記ＬＥＤ基板５の上面に当接する前後方向に長い熱伝導リブ１１を有し、
前記熱伝導リブ１１の左右両側で、前記本体２の上壁２Ｔ及び周囲壁２Ｓと前記ＬＥＤ基板５との間に、前記本体２の後部から斜め上前方へ延び前記熱伝導リブ１１の前端と後端で連通する空気通路が形成された、
ことを特徴とする。
【００２１】
第７の本発明の照明器具は、上記第１または第２において、
前記本体２は、上壁２Ｔと前記上壁２Ｔから前記開口部２Ａの周縁に至る周囲壁２Ｓで囲まれた熱良導材で構成され、後部から前部へ向けて長い形態の内部空間４を有し、
前記発光部６は、前記本体２に取り付けられるＬＥＤ基板５と、前記ＬＥＤ基板５の下側面に前後方向の直線状に配置される複数のＬＥＤ素子７を備え、
前記ＬＥＤ基板５が取り付けられた状態で、前記所定角度以上の出射光が遮られる関係である、
ことを特徴とする。
【００２２】
第８の本発明の照明器具は、上記第１または第２において、
前記発光部６は、前記本体２に取り付けられるＬＥＤ基板５と、前記ＬＥＤ基板５の下側面に前後方向の直線状に複数列配置された複数のＬＥＤ素子７と、前記ＬＥＤ素子７ごとに所定配光の出射光を形成する配光特性部８３Ａを備え、
前記本体２は、上壁２Ｔと前記上壁２Ｔから前記開口部２Ａの周縁に至る周囲壁２Ｓで囲まれ後部から前部へ向けて長い形態の内部空間４を有する熱良導材で構成され、
前記内部空間４には、後部に前記点灯制御部が配置され、前部に前記発光部６が配置され、
前記本体２は、前記上壁２Ｔから前記各列のＬＥＤ素子７に対応して前記ＬＥＤ基板５の上面に当接する前後方向に並行に延びる熱伝導リブ１１を有し、
前記熱伝導リブ相互間に形成されるトンネル状の第１空気通路及び前記熱伝導リブの外側面に沿って形成される第２空気通路が、後部から前部に向けて斜め前方に上昇する形態で前記内部空間に形成された、
ことを特徴とする。
【００２３】
第９の本発明の照明器具は、上記第１乃至第８のいずれかにおいて、
前記本体２は、前記開口部２Ａの周縁下端に、前記開口部２Ａの周縁を巡るフランジ２Ｆを備え、
前記開口部２Ａを覆うように前記フランジ２Ｆの内側に組み合わされた透光性カバー３を備え、
前記発光部６と前記フランジ２Ｆの下端の関係が、前記所定角度以上の出射光が遮られる関係である、
ことを特徴とする。
【発明の効果】
【００２４】
本発明によって、配光部から開口部の左右の周縁部を通る出射光のうち、鉛直角で所定角度以上の出射光が、開口部の左右の周縁部によって制限されるため、所定角度未満の範囲では路面照射が良好となり、この所定角度以上の範囲ではグレア抑制が良好となる。このような構成は、内部空間を形成する本体の構成でもって、その内部空間内へのＬＥＤ基板と発光部の位置決めによって達成できるため、特別なグレア抑制部材を設ける必要がなく、発光部の取り付けも安定したものとなる。
【００２５】
また本発明によって、上記のようなグレア抑制と共に、ＬＥＤ素子の発光に伴い発生する熱は、ＬＥＤ基板から熱伝導リブを通して本体から放熱されるルートによって放熱される。また、ＬＥＤ基板の上側に熱伝導リブに沿って形成される前後方向の空気通路によって、内部空間の空気は流動し、ＬＥＤ素子の発光に伴い発生する熱及び制御部の発する熱が本体から放熱される。
【図面の簡単な説明】
【００２６】
【図１】本発明に係る照明器具の分解斜視図である。
【図２】本発明に係る照明器具の縦断側面図である。
【図３】本発明に係る照明器具の本体を下方から視た図である。
【図４】本発明に係るＬＥＤ基板と制御基板を取り付けた状態の照明器具の本体を下方から視た図である。
【図５】本発明に係る本体内のＬＥＤ基板及び配光ユニットの配置並びに透光カバーの関係を分解状態にて断面で示す説明図である。
【図６】本発明に係る照明器具の本体と透光性カバーを組み合わせた状態を断面で示す説明図である。
【図７】本発明に係る照明器具を後方から視た図である。
【図８】本発明に係る照明器具を支柱に取り付けた状態の側面図である。
【図９】本発明に係る照明器具を支柱に取り付けた状態を上方から視た図である。
【図１０】本発明に係る照明器具をポールに取り付ける状態を断面で示す説明図である。
【図１１】本発明に係る照明器具をポールに取り付けた状態の側面図である。
【図１２】本発明に係るＬＥＤ基板に配光ユニットを取り付けた平面状態の説明図である。
【図１３】図１２のＡ−Ａ断面図である。
【図１４】図１２のＢ−Ｂ断面図である。
【図１５】本発明に係る照明器具を道路に沿って配置した状態の配光状態の説明図である。
【図１６】本発明に係る照明器具によるグレア抑制状態の説明図である。
【図１７】本発明に係る照明器具本体と発光部の関係によるグレア抑制構成を断面で示す説明図である。
【図１８】図１において制御部１４を絶縁シートで覆った状態を示す照明器具の分解斜視図である。
【図１９】図２において制御部１４を絶縁シートで覆った状態を示す照明器具の縦断側面図である。
【発明を実施するための形態】
【００２７】
本発明の照明器具１は、不透光性の本体２の下面側の周縁部で囲まれた領域にＬＥＤ素子７が放射する光を所定の配光にて出射する発光部６を備え、前記発光部６の出射光が道路方向に配光される照明器具において、前記発光部６から前記道路方向に配光される出射光のうち、グレア抑制として、前記発光部６の鉛直方向に対して所定角度以上の出射光が前記開口部２Ａの周縁で遮られる位置に、前記発光部６が前記本体２に配置された構成である。
【００２８】
その一つ形態として、図１、図２等に示すように、本体２は、アルミニウム等の熱良導材で構成され、上壁２Ｔと上壁２Ｔから下降する周囲壁２Ｓを有し、前記領域として、周囲壁２Ｓで囲まれた下側に開口する開口部２Ａを形成した内部空間４を形成し、本体２は、支柱等への取り付け部１０を後部に備える。照明器具１は、開口部２Ａを塞ぐように本体２に組み合わされる透光性カバー３を備える前後方向に長い形態であり、開口部２Ａに沿って発光部６を配置している。発光部６は、ＬＥＤ素子７が放射する光を所定の配光にて出射する部分であり、ＬＥＤ基板５の下側面にＬＥＤ素子７が配置され、ＬＥＤ素子７を覆うようにＬＥＤ基板５に組み合わされＬＥＤ素子７が放射する光を所定の配光にて出射する配光ユニット８を備える。本体２は、内部空間４のうちの大半を占める前部空間４Ａに、ＬＥＤ基板５の上面が当接する前後方向に延びる熱伝導リブ１１を一体に有する。
【００２９】
また、本発明は、下面に開口部２Ａを有する不透光性の本体２の開口部２Ａに対応して発光部６が取り付けられ、発光部６の出射光が道路方向に配光される照明器具において、
発光部６から道路方向に配光される出射光のうち、発光部６の鉛直方向に対する角度で所定角度以上の出射光が開口部２Ａの周縁で遮られる位置に、発光部６が本体２に取り付けられている。
【００３０】
発光部６は、ＬＥＤ基板５の下側面にＬＥＤ素子７が配置され、ＬＥＤ素子７を覆うようにＬＥＤ基板５に組み合わされＬＥＤ素子７が放射する光を所定の配光にて出射する配光ユニット８を備え、
配光ユニット８はＬＥＤ素子７ごとに所定配光の出射光を形成する配光特性部８３Ａを備え、
発光部６が内部空間４に取り付けられた状態で、配光特性部８３Ａと開口部２Ａの周縁下端の関係が、所定角度以上の出射光が遮られる関係である。
【００３１】
本体２は、上壁２Ｔと上壁２Ｔから下降する周囲壁２Ｓを有し、周囲壁２Ｓで囲まれた下側に開口する開口部２Ａを有する熱良導材で構成され、上壁２Ｔと周囲壁２Ｓで囲まれ後部から前部へ向けて長い形態の内部空間４を有し、内部空間４には、後部に点灯制御部１４が配置され、前部に発光部６が配置されている。
本体２は、上壁２ＴからＬＥＤ素子７に対応してＬＥＤ基板５の上面に当接する前後方向に長い熱伝導リブ１１を有し、
熱伝導リブ１１の左右両側で、本体２の上壁２Ｔ及び周囲壁２ＳとＬＥＤ基板５との間に、本体２の後部から斜め上前方へ延び熱伝導リブ１１の前端と後端で連通する空気通路が形成されている。
以下、本発明の実施形態として、ＬＥＤ素子７が２列配置されたＬＥＤ照明器具１について、図面を参照して説明する。
【００３２】
図１乃至図６に示すように、本発明のＬＥＤ照明器具１は、下面の略全域が開口するように開口部２Ａを形成し内外両面に防錆効果のある熱伝導性塗装を施した金属製等の熱伝導良好な不透光性の本体２と、この本体２の開口部２Ａを塞ぐように開口部２Ａの周縁部に組み合わされる合成樹脂製の透光性カバー３を備える。透光性カバー３は下方に膨らんだ形態をなし、上端周縁部には上方へ突出するフランジ３Ｆが形成されている。本体２の開口部２Ａの周縁部２Ａ１を巡るように、下方へ突出する環状のフランジ２Ｆを形成している。開口部２Ａの周縁部２Ａ１には、フランジ２Ｆの内側に透光性カバー３のフランジ３Ｆが嵌り込む溝２Ｍを有する。
【００３３】
溝２Ｍにフランジ３Ｆが嵌り込むように、透光性カバー３を本体２の開口部２Ａに組み合わせた状態で、ネジＮＪで開口部２Ａの周縁部２Ａ１に固定する。溝２Ｍとフランジ３Ｆのように嵌り合う凹凸構成によって、本体２と透光性カバー３との間が防水構造をなしている。なお、溝２Ｍの上底にパッキンを収容し、このパッキンがフランジ３Ｆによって圧縮される構成によって、更によい防水効果が得られる。
図８及び図１１に示すように、ＬＥＤ照明器具１は、水平ラインに対して開口部２Ａのラインが、後部１Ａより前部１Ｂが角度αだけ若干高くなる傾斜状態を保つ。この状態で、透光性カバー３の下面は前部から後部に向けて次第に下方となる傾斜をなしており、後部から急峻に本体２に向けた立ち上がり部３Ｇを形成する形態をなし、透光性カバー３の最低部には、排水孔５１とその周囲を囲む突壁４０を備える。
【００３４】
内部空間４のうちの前部空間４Ａにおいて、開口部２Ａに沿ってＬＥＤ基板５が、後述のように本体２に伝熱的に取り付けられる。電気絶縁性のＬＥＤ基板５は、発光部６を構成する複数のＬＥＤ素子（発光ダイオード）７を下面に実装し、ＬＥＤ素子７への電路が同じ下面にプリント配線として形成され、このプリント配線を絶縁被膜で覆っている。ＬＥＤ基板５の下面には、ＬＥＤ基板５と重ね合わせ状態に配光ユニット８が配置されている。配光ユニット８は透光性合成樹脂製であり、板状部８１に複数の配光部８２を一体形成しており、所定位置において板状部８１が、ＬＥＤ基板５を貫通して本体２に形成した取り付けボス１３Ｂに螺合するネジ９によって取り付けられる。これによって配光ユニット８がＬＥＤ基板５の下面に取り付けられる。配光部８２は、ＬＥＤ素子７ごとに所定の配光となる出射光を形成する部分であり、実施例ではレンズ形態をなし、ＬＥＤ照明器具１の前後方向軸に対して左右方向に長い配光特性を有する。図１及び図１２に示すように、配光ユニット８は、前側配光ユニット８Ｐと後側配光ユニット８Ｑで構成している。
【００３５】
本体２は、上壁２Ｔと上壁２Ｔから開口部２Ａの周縁に至る周囲壁２Ｓで囲まれた熱良導材で構成される。本体２は、アルミニウムを材料としてダイキャスト成形され、下側に開口部２Ａを形成するように上方に膨らむ形態の内部空間４を形成し、内部空間４の開口部２Ａを透光性カバー３で覆う形態である。本体２は、本体２の後壁２Ｂから後方へ延出する状態に、電柱等の支柱へ取り付ける取り付け部１０を一体形成している。また本体２は、内部空間４のうちの大半を占める前部空間４Ａには、ＬＥＤ基板５の上面を支える前後方向に並行に延びる複数の熱伝導リブ１１と、ＬＥＤ基板５を取り付ける取り付けボス１３が本体２に一体に形成されている。取り付けボス１３は、熱伝導リブ１１にＬＥＤ基板５の上面が当接した状態でプリント配線とは接続しない位置に形成したＬＥＤ基板５の４隅の孔５Ｐを通してネジ１２でＬＥＤ基板５を取り付ける部分である。ＬＥＤ基板５は、取り付けボス１３に取り付けられた状態で、中央部が前後方向に並ぶ本体２に一体形成されたボス１３Ｂで支えられると共に、前部空間４Ａにおける開口部２Ａの多くを塞ぐように、開口部２Ａよりも若干空間４側へ入った位置（前部空間４Ａ側へ入った位置）において、開口部２Ａに略並行に沿った状態である。本体２の内部空間４は、前部から後部に向けて次第に深くなる（開口部２Ａを基準とすれば次第に上方に高くなる）ように形成している。
【００３６】
ＬＥＤ照明器具１は、本体２の後壁２Ｂを後部１Ａとしてそこから前部１Ｂへ長く延びる形態をなし、発光部６の発光によって、図１５に示すように、配光ユニット８と透光性カバー３を通して道路の路面を道路方向に長い配光となるように照射する。
このため、本体２と透光性カバー３は、後部１Ａから前部１Ｂへ長く延びる形態をなし、本体２内に形成される内部空間４も前後方向に長く、内部空間４はその前部空間４Ａと後部空間４Ｂが連通状態に形成される。そして、ＬＥＤ基板５及び前部空間４Ａも前後方向に長い形態であり、ＬＥＤ基板５は前後方向に長い矩形状の平板形状である。
【００３７】
ＬＥＤ基板５は前後方向に長い平板の矩形状をなし、ＬＥＤ素子７は、前後方向に長い矩形状のＬＥＤ基板５の下側面に、前後方向に間隔を存して複数列状態に配置され、熱伝導リブ１１は、ＬＥＤ素子７の各列の裏側（上面側）に対向する位置に形成する。
実施例の場合は、ＬＥＤ素子７はＬＥＤ基板５に前後方向に等間隔でもって左右対称に２列状態に配置され、図５及び図６に示すように熱伝導リブ１１は、２列配置のＬＥＤ素子７に対向する位置の裏側（上面側）に形成している。熱伝導リブ１１の後端は後部空間４Ｂに臨む位置であり、本体２と一体形成される熱伝導リブ１１の前端は前部空間４Ａの前壁２Ｇの後方位置である。
ＬＥＤ基板５の下面の後端部に、制御部１４のコネクタ１４Ｃと電気的に接続するためにコネクタ９５が配置されている。
【００３８】
ＬＥＤ基板５の上面には、電気的接続とならないように、下面のプリント配線とは接続しない状態に放熱用の熱伝導被膜（図示せず）が略全面に亘り形成されており、この熱伝導被膜が熱伝導リブ１１に当接して、ＬＥＤ基板５の発熱をこの熱伝導被膜から熱伝導リブ１１を経て本体２の表面から放熱する仕組みである。このため、ＬＥＤ基板５から熱伝導リブ１１を通して本体２に伝達される熱の伝達効果を向上させるために、熱伝導リブ１１は、ＬＥＤ素子７の裏側（上面側）に対向する位置に形成する。
【００３９】
また、ＬＥＤ照明器具１は、ＬＥＤ素子７に点灯電力を供給する電源部と、ＬＥＤ素子７の点灯と消灯の制御を行う制御回路とを含む制御部１４が、前部空間４Ａの後方に位置する後部空間４Ｂに配置されている。このため、制御部１４は、ＬＥＤ基板５よりも後方配置となる。制御部１４は、電源部を構成する電気部品及び前記制御回路を構成する電気部品ＥＰがプリント配線基板である制御基板１５の下側面に取り付けられる。
図１、図２等に示すように、制御基板１５は、後部空間４Ｂに本体２から一体に突出する４個の取り付けボス１６、１６Ｂに載置した状態で、その対角線上の２か所の取り付けボス１６をネジ１７で固定し、本体２と熱伝導状態となる。残りの対角線上の２か所の取り付けボス１６Ｂは、制御基板１５に形成した対角線上の２か所の孔に嵌合する突起１６Ｔを中央部に備えた位置決めボスである。
この取り付け状態で、制御基板１５は、開口部２Ａから深く空間４側へ入った位置（後部空間４Ｂの上壁に近く入った上方位置）であり、ＬＥＤ基板５よりも上方位置となるように、内部空間４内へ深く入った位置（本体２の上壁に近い位置）を維持する。
【００４０】
内部点検等のために透光性カバー３が本体２から取り外された状態で、作業者が制御部１４の電気回路部分に触れると危険であるため、その危険防止のために、制御部１４を下側から全体的に覆う保護カバー１８を設けている。この保護カバー１８は、後部空間４Ｂに本体２から一体に突出する４個の取り付けボス１９、１９Ｂに載置した状態で、その対角線上の２か所の取り付けボス１９をネジ２０で固定し、残りの対角線上の２か所の取り付けボス１９Ｂは、保護カバー１８に形成した対角線上の２か所の孔に嵌合する突起１９Ｔを中央部に備えた位置決めボスである。
この取り付けによって、保護カバー１８は、制御基板１５及び電気部品ＥＰを含む制御部１４と離間した状態であり、制御基板１５及び電気部品ＥＰに作業者が触れることによる感電を防いでいる。
保護カバー１８は、金属板か不透明状態の合成樹脂板で構成され、透光性カバー３を通して外部から制御部１４が見えないようにする効果もある。
【００４１】
ＬＥＤ照明器具１は、周囲の照度を検知して日暮れ時から夜明けまでの夜間にＬＥＤ素子７が点灯するように制御部１４に電気的に接続された照度センサＳＳを備える。照度センサＳＳは、制御基板１５と電気的に接続されるセンサ基板１５Ｈに取り付けた光を透過しないホルダ２１内に保持されており、照度センサＳＳがＬＥＤ照明器具１の後方の周囲の照度を検知するように、ホルダ２１が本体２の後壁２Ｂに形成した採光窓（採光孔ともいう）２Ｈに保持されている。ホルダ２１は、照度センサＳＳへ周囲の光が侵入するように後方に開口しており、この開口と採光窓２Ｈを防水状態に塞ぐように透光性のカバー２２が採光窓２Ｈに挿入保持され、透光性のカバー２２とホルダ２１が結合されて、ホルダ２１が採光窓２Ｈに保持される関係である。採光窓２Ｈは取り付け部１０から外れた位置となるように、取り付け部１０の横側で後壁２Ｂに形成され、照度センサＳＳがＬＥＤ照明器具１の後方周囲の明るさを検知する。
【００４２】
ＬＥＤ照明器具１へ外部電源から電力供給を行うために、ＬＥＤ照明器具１へ供給される外部電源ライン２３は、本体２の後壁２Ｂに形成した貫通孔２４に挿入される絶縁ゴム製のブッシング２５を貫通し、その先端に取り付けた電源コネクタ２６が制御部１４の電源部のコネクタに電気的に接続される。
【００４３】
配光ユニット８を構成する分離配光ユニット８Ｐ、８Ｑは、ＬＥＤ素子７の配列に合わせて、前後に間隔を存してＬＥＤ基板５の下側面に重ね合わせ状態で組み合わされ、その板状部８１がＬＥＤ基板５を貫通して、一列配置の３個の取り付けボス１３Ｂの中間を除き前後の取り付けボス１３Ｂにそれぞれネジ９で取り付けられる。
分離配光ユニット８Ｐ、８ＱとＬＥＤ素子７の配列については、２列状態のＬＥＤ素子７のうち、前側の８個のＬＥＤ素子７が前側の分離配光ユニット８Ｐと対応配置され、後側の８個のＬＥＤ素子７が後側の分離配光ユニット８Ｑと対応配置され、図１２に示すように、前側の８個のＬＥＤ素子７に前側の分離配光ユニット８Ｐの第１の配光特性部８３Ａの夫々が対応し、後側の８個のＬＥＤ素子７に後側の分離配光ユニット８Ｑの第１の配光特性部８３Ａの夫々が対応し、図１５に示すような左右方向に長い配光となる。図１５に示す波紋状の線は、照明器具１に近い領域の照度が高く、遠くなるにしたがって照度が低下する状態の説明用である。
【００４４】
配光ユニット８を構成する前側配光ユニット８Ｐと後側配光ユニット８Ｑは、ＬＥＤ照明器具１の前後方向に対して、左右方向に楕円形、長円形等のように長く延びる左右方向の配光特性が形成されるように、配光部８２として、ＬＥＤ素子７ごとに所定配光の出射光を形成する第１の配光特性部８３Ａを形成している。このため、第１の配光特性部８３Ａは、図１、図２、図５、図６、図１３、図１４から明らかなように、板状部８１からかまぼこ形態または米俵の半分の形態のように、断面が略一定の半円形で以って左右方向に長く端部が球面状をなして下方へ突出するレンズ構成であり、中央位置の内部にＬＥＤ素子７が侵入する下方に向けて窄む窪み９３が形成されている。
また、第１の配光特性部８３Ａの下方へ突出するレンズ構成の他の形態としては、ＬＥＤ素子７の出射光がレンズを通過して略均一配光となるようにするために、中央位置に板状部８１方向へ曲線で窪みを形成する形態である。即ち、板状部８１からかまぼこ形態または米俵の半分の形態のように、断面が略一定の半円形で以って左右方向に長く端部が球面状をなし、且つ中央位置に板状部８１方向へ曲線で窪み、この窪みに対応して内部にＬＥＤ素子７が侵入する下方に向けて窄む窪み９３が形成される形態である。
実施例では、各配光特性部８３Ａからの出射光による配光は、同じ配光形態となる構成であるが、ＬＥＤ照明器具１の求める照射形態に応じて、それぞれ異なる配光形態となる構成でもよい。
【００４５】
なお、図面に示す第１の配光特性部８３Ａは、中央部に長さ方向の直線が描かれ、この直線の前後端部から４本の斜線が描かれているが、これはコンピュータ作図によって生じる曲面の表示であり、配光特性部８３Ａの形態は上記のように、断面が略一定の半円形状の長さの両端部が球面形状のレンズ構成である。
【００４６】
取り付け部１０は、電柱等の支柱ＰＬに取り付けバンド３０によって取り付ける第１取り付け部１０１と、支柱ＰＬに代わり先端部が横へ延びる円筒状または円柱状のポールＰＰの先端部が挿入される第２取り付け部１０２を備えており、第１取り付け部１０１と第２取り付け部１０２は本体２と一体に形成される。
【００４７】
第２取り付け部１０２は、ポールＰＰの斜め上方に向く先端部が挿入されるように、本体２の後壁２Ｂに連続して後方へ延びる円筒状をなし、その円筒状の前面は本体２の後壁２Ｂで塞がれ、その円筒状の後面は解放してポールＰＰの先端部ＰＰ１が挿入される挿入開口１０２Ｋを有する形態である。また、第２取り付け部１０２は、円筒状の後端面１０２Ｒは、支柱ＰＬの柱面（周面）が接触しないような逃げ部となる曲面形状をなす。このため、円筒状の後端面１０２Ｒの曲面は、好ましくは、支柱ＰＬの柱面（周面）の曲面と同等または若干小さな半径で描かれる曲面形状である。
【００４８】
第１取り付け部１０１は、第２取り付け部１０２と一体化する状態で、第２取り付け部１０２の左右両側に並行状態に配置された縦方向の板状の左右取り付け板部１０１Ｂで構成される。左右取り付け板部１０１Ｂの後端面１０１Ｒは、支柱ＰＬの柱面（周面）に縦方向に沿う直線状をなす。左右取り付け板部１０１Ｂと第２取り付け部１０２には、取り付けバンド３０が挿通され係止する縦方向に長い取り付け孔３１を有する。
【００４９】
このように第１取り付け部１０１により支柱ＰＬにＬＥＤ照明器具１を取り付けた状態は、図８に示すように、ＬＥＤ照明器具１は、水平ラインに対して開口部２Ａのラインが、後部１Ａより前部１Ｂが角度αだけ若干高くなる傾斜状態を保つ。このような状態となるように、取り付け部１０１が構成されている。これによって、配光部８２のレンズ効果によって、ＬＥＤ照明器具１の前後方向軸に対して左右方向に長い配光が形成されるため、左右方向に長い道路面を照射することができる。
【００５０】
また、第２取り付け部１０２によりＬＥＤ照明器具１を取り付けた状態は、図１１に示すようにＬＥＤ照明器具１は、水平ラインに対して開口部２Ａのラインが、後部１Ａより前部１Ｂが角度αだけ若干高くなる傾斜状態を保つ。このような状態となるように、取り付け部１０２が構成されている。これによって、配光部８２のレンズ効果によって、ＬＥＤ照明器具１の前後方向軸に対して左右方向に長い配光が形成されるため、左右方向に長い道路面を照射することができる。
【００５１】
このような第１の配光特性部８３Ａによって、ＬＥＤ素子７の発光がレンズ効果によって左右方向へ拡がり、ＬＥＤ照明器具１の下方を左右に通る道路面に左右方向に長く延びる配光が形成される。この状態の道路面の配光の一例を図１５に示す。
【００５２】
上記のように、本体２の内部空間４は、前部から後部に向けて次第に深くなるように（開口部２Ａを基準とすれば次第に上方に高くなるように）形成しており、内部空間４には、熱伝導リブ１１の左右側面に沿って後部から前部に向けて斜め前方に上昇する空気通路が形成される。このため、取り付け部１０を支柱ＰＬに取付けた状態で、水平ラインに対して開口部２Ａのラインが略並行となる水平取り付け状態でも、同様の空気通路が形成される。
また、上記のように支柱ＰＬ等への取り付けによって、水平ラインに対して開口部２Ａのラインが、後部１Ａより前部１Ｂが角度αだけ若干高くなる傾斜取り付け状態を保つことにより、水平取り付け状態よりも更に斜め前方に上向くため、内部空間４には、熱伝導リブ１１の左右側面に沿って後部から前部に向けて斜め前方に上昇する空気通路が形成される。
このため、本体２内の内部空間４では、熱伝導リブ１１の左右側面に沿って後部空間４Ｂから前部空間４Ａへ向けた空気の流れが生じ易くなる。
【００５３】
図示のように並行な熱伝導リブ１１を形成する場合は、並行な熱伝導リブ１１とＬＥＤ基板５によって囲まれたトンネル状の第１空気通路１Ｐと、第１空気通路の左右両外側となる位置で熱伝導リブ１１の外側面に沿った第２空気通路１Ｑが、後部から前部に向けて斜め前方に上昇する形態で内部空間４に形成されている。第１空気通路１Ｐの前端と後端が解放するように、第１空気通路１Ｐと第２空気通路１Ｑは、並行な熱伝導リブ１１の前端と後端で連通している。
【００５４】
この様な構成によって、照明器具１内に空気流通が形成される。
その一つとして、第１空気通路１Ｐの温度よりも熱伝導リブ１１の外側面に沿う第２空気通路１Ｑの温度が相対的に低くなり易い。このため、制御部１４の発熱とＬＥＤ素子７の発熱によって温められた内部空間４の空気は、主として後部空間４Ｂから前部空間４Ａに向けて第１空気通路１Ｐを通り、熱伝導リブ１１の先端部から第２空気通路１Ｑを経て後部空間４Ｂ側へ帰還し、再び第１空気通路１Ｐを流れる空気流通が形成される。この場合、空気は熱伝導リブ１１及び本体２の壁面と接触しつつ流れるため、本体２への熱伝達が促進される。
図５に示すように、ＬＥＤ基板５の左右両端部が第２空気通路１Ｑの下側を覆う状態とすることにより、第２空気通路１Ｑの空気流通がスムーズになる。
このような空気循環は、照明器具１の周囲温度によって変化することもある。
【００５５】
また、もう一つの空気循環として、制御部１４の発熱とＬＥＤ素子７の発熱によって温められた内部空間４の空気は、主として第１空気通路１Ｐと第２空気通路１Ｑを通って本体２の後部１Ａから前部１Ｂに向けて流れ、熱伝導リブ１１の先端部からＬＥＤ基板５と透光性カバー３の間の空間へ流れ、ＬＥＤ基板５と透光性カバー３の間の空間を経て後部空間４Ｂ側へ帰還し、再び第１空気通路１Ｐと第２空気通路１Ｑを流れる空気流通が形成される。この場合、空気は熱伝導リブ１１及び本体２の壁面と接触しつつ流れるため、本体２への熱伝達が促進される。
図５に示すように、ＬＥＤ基板５の左右両端部が第２空気通路１Ｑの下側を覆う状態とすることにより、第２空気通路１Ｑの空気流通がスムーズになる。
このような空気流通は、照明器具１の周囲温度によって変化することもある。
【００５６】
上記のように、ＬＥＤ素子７の発光に伴い発生する熱は、ＬＥＤ基板５から熱伝導リブ１１を通して本体２から放熱されるルートによって放熱され、また空気循環によって本体２との接触が促進され、ＬＥＤ素子７の発光に伴い発生する熱及び制御部１４の発する熱が本体２から良好に放熱される。
【００５７】
また本体２は、１部品によって構成でき部品点数も少なく組み立て工数も少なくなる。更に、熱伝導リブ１１と、取り付けボス１３及び１６によって、ＬＥＤ基板５と制御基板１５の支持が安定し、且つ放熱効果が良好に行われる照明器具となる。
【００５８】
ＬＥＤ基板５は、所謂金属基板でもよいが、低コスト化として、電気絶縁性の一枚の合成樹脂製を採用する。上記のような本体２、ＬＥＤ基板５、制御部１４、熱伝導リブ１１の関係構成は、ＬＥＤ基板５が電気絶縁性の平板である場合に、ＬＥＤ素子７の発熱を効果的に放熱する効果がある。
なお、電気絶縁性の平板のＬＥＤ基板５のＬＥＤ素子７が実装された下面とは反対側の上側面に、熱伝導被膜を形成することにより、ＬＥＤ素子７の発熱は、ＬＥＤ基板５とその上側の熱伝導被膜を通して熱伝導リブ１１から本体２に伝達され、効果的な放熱が行える。
【００５９】
上記のように、照明器具１は、
下面に開口部２Ａを形成した内部空間４を有し開口部２Ａに沿って内部空間４に収容された発光部６を備え支柱等への取り付け部１０を後部に備える金属製の本体２と、開口部２Ａを塞ぐように本体２に組み合わされる透光性カバー３を備える前後方向に長い形態であり、
発光部６は、ＬＥＤ基板５の下側面に前後方向に複数のＬＥＤ素子７が直線状に配置された構成であり、
本体２は、内部空間４のうちの大半を占める前部空間４Ａに、直線状に配置されたＬＥＤ素子７の裏側に対応して、ＬＥＤ基板５の上面が当接する前後方向に延びる熱伝導リブ１１を一体に有し、
内部空間４のうちの前部空間４Ａに連続する後部空間４Ｂに収容保持されるＬＥＤ素子７の制御部１４を備え、
内部空間４は、熱伝導リブ１１の左右側面に沿って後部から前部に向けて斜め前方に上昇する空気通路を有する。
【００６０】
また、照明器具１は、
下面に開口部２Ａを形成した内部空間４を有し開口部２Ａに沿って内部空間４に収容された発光部６を備え支柱等への取り付け部１０を後部に備える金属製の本体２と、開口部２Ａを塞ぐように本体２に組み合わされる透光性カバー３を備える前後方向に長い形態であり、
発光部６は、ＬＥＤ基板５の下側面に前後方向に直線状配置の複数のＬＥＤ素子７が複数列状態に配置され、
本体２は、内部空間４のうちの大半を占める前部空間４Ａに、直線状に配置されたＬＥＤ素子７の各列の裏側に対応して、ＬＥＤ基板５の上面が当接する前後方向に並行に延びる熱伝導リブ１１を一体に有し、
内部空間４のうちの前部空間４Ａに連続する後部空間４Ｂに本体２に取り付けられたＬＥＤ素子７の制御部１４を備え、
熱伝導リブ１１相互間に形成されるトンネル状の第１空気通路１Ｐ及び熱伝導リブ１１の外側面に沿って形成される第２空気通路１Ｑが、後部から前部に向けて斜め前方に上昇する形態で内部空間４に形成されている。
【００６１】
また、照明器具１は、
ＬＥＤ基板５は開口部２Ａに沿って前部空間４Ａ内の下部に配置され、
制御部１４は、熱伝導リブ１１の後方の後部空間４ＢにＬＥＤ基板５よりも上方位置で本体２に熱伝導状態の取り付けである。
【００６２】
また、照明器具１は、
制御部１４は電気部品を取り付けた制御基板１５を有し、
ＬＥＤ基板５及び制御基板１５は、それぞれ本体２に一体形成の取り付けボスにネジ固定されている。
【００６３】
また、照明器具１は、
熱伝導リブ１１の後端は後部空間４Ｂに臨む位置であり、熱伝導リブ１１の前端は前部空間４Ａの前壁の後方位置である。
【００６４】
また、照明器具１は、
並行の熱伝導リブ１１とＬＥＤ基板５によって囲まれたトンネル状の第１空気通路１Ｐと、第１空気通路１Ｐの左右両外側となる位置で熱伝導リブ１１の外側面に沿った第２空気通路１Ｑは、並行な熱伝導リブ１１の前端と後端で連通している。
【００６５】
次にグレア抑制構造について説明する。
本発明は、図１６に示すように、道路灯において、非照射面である道路の路面から鉛直方向ＶＴの高さ４．５ｍに設置された光源となる発光部６から出射される出射光のうち、発光部６の中心部における鉛直方向ＶＴから遠い地点で、路面から１．５ｍの高さにある人の目線の水平方向に対する所定の仰角以上の出射光が、前記人の目に入らないように遮ることによって、その人に対する眩しさ（グレア）を抑制する技術の提供である。
【００６６】
この場合、照明器具に特別な遮光板を取り付けることなく、照明器具の必須構成部品の範囲内で上記のような眩しさ（グレア）を抑制する技術を達成することに特徴がある。
【００６７】
上記のように、照明器具１は、第１取り付け部１０１または第２取り付け部１０２による取り付けのいずれにおいても、前後方向に長い照明器具１が道路幅方向に向かう前上がり状態となり、図１５に示すように、道路方向に長い配光を得る。
【００６８】
本体２は、図１、図５、図１７に示すように、本体２の開口部２Ａの周縁部２Ａ１を巡るように、下方へ突出するフランジ２Ｆを形成している。
本発明は、下面に開口部２Ａを有する不透光性の本体２の前記開口部２Ａに対応して発光部６が取り付けられ、発光部６の出射光が道路方向に配光される照明器具において、発光部６から道路方向に配光される出射光のうち、グレア抑制として、発光部６の鉛直方向に対して所定角度θ１以上の出射光が開口部２Ａの周縁で遮られる位置に、発光部６が本体２に取り付けられた構成である。
発光部６は、ＬＥＤ素子７が放射する光を所定の配光にて出射する部分であり、実施例では、ＬＥＤ素子７と、ＬＥＤ素子７ごとに所定の配光となる出射光を形成するレンズ形態の配光部８２を有する配光ユニット８によって構成している。
【００６９】
この具体的実施例として、前記のように、路面から１．５ｍの高さにある人（歩行者）の目線の水平方向に対する所定の仰角θ４の出射光を遮るために、この仰角θ４を５°未満とし、グレア抑制の範囲である前記所定角度θ１を規定の８５°以上とする場合について記載する。
【００７０】
このため、下面に開口部２Ａを有する不透光性の本体２の開口部２Ａに対応して発光部６が取り付けられ、発光部６の出射光が道路方向に配光される照明器具１において、図１７に示すように、発光部６からの出射光の出射範囲は、発光部６の中央における鉛直方向ＶＴに対する角度（鉛直角）θ２＝９０°であり、その中で、グレアを抑制する範囲は角度θ４＝５°未満である。この場合、発光部６から道路方向に配光される出射光のうち、発光部６の鉛直方向ＶＴに対する角度（鉛直角）でθ１＝８５°以上の出射光が、開口部２Ａの周縁下端であるフランジ２Ｆの下端で遮られる位置に、発光部６が本体２に取り付けられる構成としている。
【００７１】
発光部６はＬＥＤ基板５に取り付けたＬＥＤ素子７によって形成され、発光部６からの出射光は、ＬＥＤ素子７の発光に基づきＬＥＤ素子７ごとに形成した配光特性部８３Ａから発せられ、透光性カバー３を透過して図１５に示すように、ＬＥＤ照明器具１の前後方向軸に対して道路方向である左右方向に長い配光特性を有する。
【００７２】
これによって、１個の照明器具１から道路方向である左右方向に向けて、角度θ３＝１７０°の範囲で出射光が発せられ、照明器具１の左右において角度θ４の範囲でグレアが抑制される。
【００７３】
これに係るＬＥＤ基板５と配光ユニット８の本体２への配置について、上記のように、ＬＥＤ基板５は、取り付けボス１３に上面が当接する状態で４隅の孔５Ｐを通してネジ１２で取り付けボス１３に取り付けられ、配光ユニット８は、その板状部８１がＬＥＤ基板５の下側面に重ね合わせ状態で以って、ＬＥＤ基板５を貫通して他の取り付けボス１３Ｂにネジ９で取り付けられる。この状態で、発光部６からの出射光の出射範囲を限定する部分となる配光特性部８３Ａの基部と板状部８１との交点ＢＴが、フランジ２Ｆよりも下方へ突出しない状態となり、ＬＥＤ基板５と配光ユニット８が、開口部２Ａに沿って内部空間４に配置される状態となる。
【００７４】
図示の形態は、複数のＬＥＤ素子７が所定間隔を存して前後方向に直線的に一列に配置されたものが左右２列配置の構成であるが、これに限定されない。
例えば、前後方向に長いＬＥＤ基板５の左右間の中央を前後方向に延びる軸線上に、複数のＬＥＤ素子７が所定間隔を存して前後方向に直線的に一列のみに配置されたものとし、この各ＬＥＤ素子７に対応する配光部８または配光特性部８３Ａを板状部８１に形成した配光ユニット８をＬＥＤ基板５の下側面に配置し、発光部６の中央における鉛直方向ＶＴに対する所定角度（鉛直角でθ１＝８５°等）以上の出射光が、開口部２Ａの周縁下端で遮られる位置に、発光部６が本体２に取り付けられる構成とするものでもよい。
更にＬＥＤ素子７を３列構成とし、上記同様の構成とするものでもよい。
【００７５】
上記のように、本発明によって、発光部６から開口部の左右の周縁部を通る出射光のうち、鉛直角で８５°以上の範囲が、開口部２Ａの左右の周縁部によって制限されるため、この角度未満の範囲では路面照射が良好となり、特別なグレア抑制部材を設ける必要がなくグレア抑制が良好となる。また、発光部６の取り付けも安定したものとなる。
【００７６】
また本発明によって、上記のようなグレア抑制と共に、ＬＥＤ素子７の発光に伴い発生する熱は、ＬＥＤ基板５から熱伝導リブ１１を通して本体２から放熱されるルートによって放熱される。また、ＬＥＤ基板５の上側に熱伝導リブ１１に沿って形成される前後方向の空気通路によって、内部空間４の空気は流動し、ＬＥＤ素子７の発光に伴い発生する熱及び制御部１４の発する熱が本体２から放熱される。
【００７７】
本発明は、発明の範囲内における種々の変更が可能であり、ＬＥＤ照明器具１の形態も上記に限定されることなく、種々の形態のＬＥＤ照明器具１に適用可能である。
このため、上記では、グレアを抑制する範囲が、発光部６の鉛直方向ＶＴに対する角度（鉛直角）でθ１＝８５°以上の範囲としたが、規定が８０°以上であれば、それに合致するように、上記同様の構成とする。
【００７８】
上記図示の実施例では、配光ユニット８を分離配光ユニット８Ｐ、８Ｑで構成したが、これに替わって、例えば配光ユニット８を分離配光ユニット８Ｐのみの１枚とする場合は、その分離配光ユニット８Ｐは、一列配置の３個の取り付けボス１３Ｂの中間のものにネジ９で取り付けることにより、上記同様の構成及び作用が達成できる。
【００７９】
また、配光ユニット８を１枚とする場合、前後方向に長いＬＥＤ基板５の左右間の中央を前後方向に延びる軸線上に、複数のＬＥＤ素子７が所定間隔を存して前後方向に直線的に一列のみに配置されたものとし、この各ＬＥＤ素子７に対応する配光部８または配光特性部８３Ａを板状部８１に形成した配光ユニット８をＬＥＤ基板５の下側面に配置し、発光部６の中央における鉛直方向ＶＴに対する所定角度（鉛直角でθ１＝８５°等）以上の範囲の出射光が、開口部２Ａの周縁下端で遮られる位置に、発光部６が本体２に取り付けられる構成とすることもできる。
【００８０】
実施形態では透光性カバー３を備えるが、本発明は、透光性カバー３を設けずに、配光ユニット８が
透光性カバー３の役目を兼用するように、配光部８２を一体形成する板状部８１の平面積を広くして、
配光ユニット８が本体２の開口部２Ａの周縁を巡るフランジ２Ｆの内側において、開口部２Ａの全体を覆う大きさに形成する形態でも、同様の作用効果を奏することができる。
【００８１】
本発明の照明器具１は、図１８及び図１９に示すように、制御部１４を絶縁シート１１０で覆うことにより、制御部１４が本体２及び保護カバー１８との接触を避け、更に照明器具１の点検等を行う作業者への感電防止等を行う構成である。図１８は図１において制御部１４を絶縁シートで覆った状態を示す照明器具の分解斜視図であり、図１と同じ構成であるため一部の符号を省略している。また、図１９は図２において制御部１４を絶縁シートで覆った状態を示す照明器具の縦断側面図であり、図２と同じ構成であるため一部の符号を省略している。
【００８２】
絶縁シート１１０は、図１８に示すように、上辺１１１と下辺１１２とこれら両辺を連結する連結辺１１３を一体形成した略コ字状をなす電気絶縁性の合成樹脂製シートである。実施例の絶縁シート１１０は、厚さが略０．１９ｍｍのポリエステル製で構成し、上辺１１１と下辺１１２は、制御部１４全体を覆う平面積を有する大きさである。
【００８３】
絶縁シート１１０は、上辺１１１の四隅部分にそれぞれ４個の取り付けボス１６、１６Ｂが入り込む切欠き１１４を形成している。このため、連結辺１１３が制御基板１５の外側位置において上辺１１１と下辺１１２との間に制御部１４が位置するように絶縁シート１１０を組み合わせ、且つ四か所の切欠き１１４がそれぞれ４個の取り付けボス１６、１６Ｂの内側に一致する状態に、絶縁シート１１０を本体２の後部空間４Ｂに配置する。
これによって、図１８及び図１９に示すように、絶縁シート１１０は取り付けボス１６、１６Ｂによって位置決めされ、上辺１１１と下辺１１２の間に制御部１４が配置され、制御部１４の全体が絶縁シート１１０で覆われる状態となる。
【符号の説明】
【００８４】
１          照明器具
１Ｐ        第１空気通路
１Ｑ        第２空気通路
２          本体
２Ａ        本体の開口部
２Ｆ        フランジ
３          透光性カバー
４          内部空間
４Ａ        前部空間
４Ｂ        後部空間
５          ＬＥＤ基板
６          発光部
７          ＬＥＤ素子
８          配光ユニット
１０        取り付け部
１１        熱伝導リブ
１４        制御部
１５        制御基板
１１０      絶縁シート
【図１】
0006795831.tif 000002
【図２】
0006795831.tif 000003
【図３】
0006795831.tif 000004
【図４】
0006795831.tif 000005
【図５】
0006795831.tif 000006
【図６】
0006795831.tif 000007
【図７】
0006795831.tif 000008
【図８】
0006795831.tif 000009
【図９】
0006795831.tif 000010
【図１０】
0006795831.tif 000011
【図１１】
0006795831.tif 000012
【図１２】
0006795831.tif 000013
【図１３】
0006795831.tif 000014
【図１４】
0006795831.tif 000015
【図１５】
0006795831.tif 000016
【図１６】
0006795831.tif 000017
【図１７】
0006795831.tif 000018
【図１８】
0006795831.tif 000019
【図１９】
0006795831.tif 000020